(57)【要約】【課題】印刷データの出力処理の際の認証に必要なＩＣカード等の認証媒体が手元に無い場合でも、既に画像形成装置に格納済みの印刷データを変更することなく出力処理を行うことができるようにする。【解決手段】ユーザが正規のＩＣカードを紛失または自宅等に忘れてきたとの申請が行われると、その正規のＩＣカードの代わりとなる代替ＩＣカードが発行される。認証情報変換部５６は、認証管理装置６０からの設定に基づいて、ＩＣカードリーダ１６により読み取られたカード情報が代替ＩＣカードのカード情報の場合、その代替ＩＣカードのカード情報を、対応付けて記憶された正規のＩＣカードのカード情報に変換する。認証処理部５４は、認証情報変換部５６により変換された後の認証情報に基づいて認証処理を行う。【選択図】図３
2011170607.tif 000002
【特許請求の範囲】
【請求項１】
受信した印刷データを格納する格納手段と、
認証媒体の認証情報を読み取る読取手段と、
前記読取手段により読み取られた第１の認証情報を、対応付けて記憶された第２の認証情報に変換する変換手段と、
前記変換手段により変換された後の第２の認証情報に基づいて認証処理を行う認証処理手段と、
指示された印刷データに基づく画像を出力する出力手段と、
前記認証処理手段における認証結果に基づいて、前記格納手段に格納されている印刷データに基づく画像を出力するよう前記出力手段を制御する制御手段と、
を備えた画像形成装置。
【請求項２】
前記変換手段は、前記第１の認証情報を前記第２の認証情報に変換する設定がされてから一定時間が経過すると、前記読取手段により読み取られた認証情報が前記第１の認証情報の場合であっても前記第２の認証情報への変換を行わない請求項１記載の画像形成装置。
【請求項３】
前記変換手段は、前記第１の認証情報を前記第２の認証情報に変換する設定がされる際に指定された有効期限が経過すると、前記読取手段により読み取られた認証情報が前記第１の認証情報の場合であっても前記第２の認証情報への変換を行わない請求項１記載の画像形成装置。
【請求項４】
前記認証処理手段は、前記変換手段に対して前記第１の認証情報を前記第２の認証情報に変換する設定がされた場合、前記第１の認証情報に基づく認証処理を無効とする請求項１から３のいずれか１項記載の画像形成装置。
【請求項５】
前記変換手段において前記第１の認証情報を前記第２の認証情報に変換する処理が行われた場合、前記認証処理手段は、出力しようとする印刷データの属性に応じて認証結果を変更する請求項１から４のいずれか１項記載の画像形成装置。
【請求項６】
受信した印刷データを格納する格納手段と、認証媒体の認証情報を読み取る読取手段と、前記読取手段により読み取られた第１の認証情報を、対応付けて記憶された第２の認証情報に変換する変換手段と、前記変換手段により変換された後の第２の認証情報に基づいて認証処理を行う認証処理手段と、指示された印刷データに基づく画像を出力する出力手段と、前記認証処理手段における認証結果に基づいて、前記格納手段に格納されている印刷データに基づく画像を出力するよう前記出力手段を制御する制御手段とを備えた画像形成装置と、
第１の認証情報が記憶された認証媒体の代わりとして発行された代替認証媒体の第２の認証情報を前記第１の認証情報に読み替えるよう前記変換手段に対する設定を行なう設定手段を備えた認証管理装置と、
を有する画像形成システム。
【請求項７】
認証媒体の認証情報を読み取るステップと、
読み取られた第１の認証情報を、対応付けて記憶された第２の認証情報に変換するステップと、
変換された後の前記第２の認証情報に基づいて認証処理を行うステップと、
認証処理の認証結果に基づいて、格納されている印刷データに基づく画像出力を許可するか否かを制御するステップとをコンピュータに実行させるためのプログラム。
【発明の詳細な説明】
【技術分野】
【０００１】
本発明は、画像形成システム、画像形成装置およびプログラムに関する。
【背景技術】
【０００２】
特許文献１には、利用者に一時認証情報を発行し、利用者から所定の正式認証情報又は発行された一時認証情報のいずれかを受け入れて、受け入れた認証情報に基づいて利用者の認証を行い、利用者が一時認証情報に基づいて認証されている場合に、利用者が正式認証情報に基づいて認証される場合の処理実行権限より制限された処理実行権限に基づいて、利用者が要求する処理の実行の可否を判定する情報処理システムが開示されている。
【０００３】
特許文献２には、ＩＣカードの紛失、盗難等により、所有者以外の不正使用を防止することを目的として、ＩＣカードの所有者本人の照合に使用するバイオメトリックスデータの照合機能を備えたＩＣカードであって、使用可能状態となった後のＩＣカードの継続使用の条件を複数のパラメータにより設定可能な機能を有するＩＣカードが開示されている。
【先行技術文献】
【特許文献】
【０００４】
【特許文献１】特開２００９−８７２７１号公報
【特許文献２】特開２００４−１７８１４１号公報
【発明の概要】
【発明が解決しようとする課題】
【０００５】
本発明の目的は、印刷データの出力処理の際の認証に必要なＩＣカード等の認証媒体が手元に無い場合でも、既に画像形成装置に格納済みの印刷データを変更することなく出力処理を行うことが可能な画像形成システム、画像形成装置およびプログラムを提供することである。
【課題を解決するための手段】
【０００６】
［画像形成装置］
請求項１に係る本発明は、受信した印刷データを格納する格納手段と、
認証媒体の認証情報を読み取る読取手段と、
前記読取手段により読み取られた第１の認証情報を、対応付けて記憶された第２の認証情報に変換する変換手段と、
前記変換手段により変換された後の第２の認証情報に基づいて認証処理を行う認証処理手段と、
指示された印刷データに基づく画像を出力する出力手段と、
前記認証処理手段における認証結果に基づいて、前記格納手段に格納されている印刷データに基づく画像を出力するよう前記出力手段を制御する制御手段とを備えた画像形成装置である。
【０００７】
請求項２に係る本発明は、前記変換手段が、前記第１の認証情報を前記第２の認証情報に変換する設定がされてから一定時間が経過すると、前記読取手段により読み取られた認証情報が前記第１の認証情報の場合であっても前記第２の認証情報への変換を行わない請求項１記載の画像形成装置である。
【０００８】
請求項３に係る本発明は、前記変換手段が、前記第１の認証情報を前記第２の認証情報に変換する設定がされる際に指定された有効期限が経過すると、前記読取手段により読み取られた認証情報が前記第１の認証情報の場合であっても前記第２の認証情報への変換を行わない請求項１記載の画像形成装置である。
【０００９】
請求項４に係る本発明は、前記認証処理手段が、前記変換手段に対して前記第１の認証情報を前記第２の認証情報に変換する設定がされた場合、前記第１の認証情報に基づく認証処理を無効とする請求項１から３のいずれか１項記載の画像形成装置である。
【００１０】
請求項５に係る本発明は、前記変換手段において前記第１の認証情報を前記第２の認証情報に変換する処理が行われた場合、前記認証処理手段が、出力しようとする印刷データの属性に応じて認証結果を変更する請求項１から４のいずれか１項記載の画像形成装置である。
【００１１】
［画像形成システム］
請求項６に係る本発明は、受信した印刷データを格納する格納手段と、認証媒体の認証情報を読み取る読取手段と、前記読取手段により読み取られた第１の認証情報を、対応付けて記憶された第２の認証情報に変換する変換手段と、前記変換手段により変換された後の第２の認証情報に基づいて認証処理を行う認証処理手段と、指示された印刷データに基づく画像を出力する出力手段と、前記認証処理手段における認証結果に基づいて、前記格納手段に格納されている印刷データに基づく画像を出力するよう前記出力手段を制御する制御手段とを備えた画像形成装置と、
第１の認証情報が記憶された認証媒体の代わりとして発行された代替認証媒体の第２の認証情報を前記第１の認証情報に読み替えるよう前記変換手段に対する設定を行なう設定手段を備えた認証管理装置と、
を有する画像形成システムである。
【００１２】
［プログラム］
請求項７に係る本発明は、認証媒体の認証情報を読み取るステップと、
読み取られた第１の認証情報を、対応付けて記憶された第２の認証情報に変換するステップと、
変換された後の前記第２の認証情報に基づいて認証処理を行うステップと、
認証処理の認証結果に基づいて、格納されている印刷データに基づく画像出力を許可するか否かを制御するステップとをコンピュータに実行させるためのプログラムである。
【発明の効果】
【００１３】
請求項１に係る本発明によれば、認証媒体が手元に無い場合でも、既に画像形成装置に格納済みの印刷データを変更することなく出力処理を行うことができる画像形成装置を提供することができる。
【００１４】
請求項２に係る本発明によれば、請求項１に係る発明により得られる効果に加えて、発行された代替認証媒体を一定時間経過後に無効にすることが可能な画像形成装置を提供することができる。
【００１５】
請求項３に係る本発明によれば、請求項１に係る発明により得られる効果に加えて、発行された代替認証媒体を有効期限後に無効にすることが可能な画像形成装置を提供することができる。
【００１６】
請求項４に係る本発明によれば、請求項１から３のいずれか１項に係る発明により得られる効果に加えて、代替認証媒体を発行した場合に、元の認証媒体の不正使用を防止することが可能な画像形成装置を提供することができる。
【００１７】
請求項５に係る本発明によれば、請求項１から４のいずれか１項に係る発明により得られる効果に加えて、代替認証媒体による認証処理を行う場合に、印刷データの属性に応じて認証結果を無効または有効のいずれかに設定することが可能な画像形成装置を提供することができる。
【００１８】
請求項６に係る本発明によれば、認証媒体が手元に無い場合でも、既に画像形成装置に格納済みの印刷データを変更することなく出力処理を行うことができる画像形成システムを提供することができる。
【００１９】
請求項７に係る本発明によれば、認証媒体が手元に無い場合でも、既に画像形成装置に格納済みの印刷データを変更することなく出力処理を行うことができるプログラムを提供することができる。
【図面の簡単な説明】
【００２０】
【図１】本発明の一実施形態の画像形成システムのシステム構成を示す図である。
【図２】本発明の一実施形態における画像形成装置２０のハードウェア構成を示すブロック図である。
【図３】本発明の一実施形態における画像形成装置２０の機能構成を示すブロック図である。
【図４】印刷ジョブ記憶部５２に記憶されている認証要求指示が付加されている印刷ジョブのリストの一例を示す図である。
【図５】“ＺＸ１２３４５”というカード情報が認証情報として設定されている印刷ジョブのみを表示した場合の一例である。
【図６】認証情報変換部５６において設定がされている代替カード情報と読み替えカード情報の一例を示す図である。
【図７】本発明の一実施形態における画像形成装置２０の動作を示すフローチャートである。
【図８】図７のフローチャートにおけるステップＳ１０２の認証情報変換処理を説明するためのフローチャートである。
【図９】有効期限を設定できるようにした読み替えテーブルの一例を示す図である。
【図１０】出力しようとする印刷ジョブの属性に応じて認証結果を変更するような設定が行われた場合における印刷ジョブの属性と使用可能なＩＣカードとの関係を示す図である。
【図１１】ジョブオーナー属性を設定できるようにした読み替えテーブルの一例を示す図である。
【図１２】出力しようとする印刷ジョブの属性に応じて認証結果を変更するような処理を実現する場合の、画像形成装置２０における認証情報変換処理を説明するためのフローチャートである。
【図１３】認証サーバ７０において認証処理を実行するようにした画像形成システムのシステム構成を示す図である。
【図１４】認証サーバ７０において認証処理を実行するようにした構成の場合における、画像形成装置２０と認証サーバ７０との間で行われる処理を示すシーケンスチャートである。
【発明を実施するための形態】
【００２１】
次に、本発明の実施の形態について図面を参照して詳細に説明する。
図１は本発明の一実施形態の画像形成システムの構成を示すブロック図である。
【００２２】
本発明の一実施形態の画像形成システムは、図１に示されるように、ネットワーク３０により相互に接続された端末装置１０、画像形成装置２０、２１、プリントサーバ４０、業務用コンピュータ５０および認証管理装置６０により構成される。業務用コンピュータ５０は、基幹業務の印刷データを生成してプリントサーバ４０経由にて画像形成装置２０、２１に送信する。端末装置１０は、一般的なオフィス業務等において使用され、印刷データを生成して、ネットワーク３０経由にて生成した印刷データを画像形成装置２０、２１に対して送信する。画像形成装置２０、２１は、プリントサーバ４０や端末装置１０から送信された印刷データを受け付けて、印刷データに応じた画像を用紙上に出力する。認証管理装置６０は、画像形成装置２０、２１における認証機能を管理する。
【００２３】
本実施形態の画像形成システムでは、画像形成装置２０、２１に対して印刷データを送信する際に、認証処理を必要とするか否かを設定可能なセキュリティプリント機能が備えられている。画像形成装置２０、２１では、認証処理を必要とする設定がされた印刷データに基づく印刷処理を行う場合、ユーザの認証が行われ、出力許可されたユーザであることが確認された場合のみ印刷処理を実行する。
【００２４】
次に、本実施形態の画像形成システムにおける画像形成装置２０のハードウェア構成を図２に示す。なお、画像形成装置２１の構成は画像形成装置２０の構成と同様であるため、その説明は省略する。
【００２５】
画像形成装置２０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、ＩＣカードリーダ１６、プリントエンジン１７を有する。これらの構成要素は、制御バス１８を介して互いに接続されている。
【００２６】
ＣＰＵ１１は、メモリ１２または記憶装置１３に格納された制御プログラムに基づいて所定の処理を実行して、画像形成装置２０の動作を制御する。
【００２７】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２８】
図３は、上記の制御プログラムが実行されることにより実現される画像形成装置２０の機能構成を示すブロック図である。
【００２９】
本実施形態の画像形成装置１０は、図３に示されるように、印刷ジョブ受信部５１と、印刷ジョブ記憶部５２と、制御部５３と、認証処理部５４と、画像出力部５５と、認証情報変換部５６と、ＩＣカードリーダ１６とを備えている。
【００３０】
印刷ジョブ受信部５１は、端末装置１０やプリントサーバ４０から送信されてきた印刷ジョブ（印刷データ）を受信する。印刷ジョブ記憶部５２は、印刷ジョブ受信部５１により受信された印刷ジョブを記憶する。
【００３１】
画像出力部５５は、制御部５３による指示に従って、印刷ジョブ受信部５１により受信され印刷ジョブ記憶部５２に記憶されている印刷ジョブに基づいて画像を出力する。制御部５３は、出力部５５における画像出力処理を制御する。
【００３２】
本実施形態の画像形成システムを管理している管理者は、紛失または自宅等に忘れてきたことによりユーザが手元にＩＣカードを保持していないとの申請に基づき、その正規のＩＣカードの代わりとなる代替ＩＣカード（一時発行ＩＣカード、テンポラリカード）を発行する。そして、その管理者は、認証管理装置６０において、代替カードを発行した情報を登録する。すると、認証管理装置６０は、ＩＣカードリーダ１６により読み取られたカード情報が発行した代替ＩＣカードのカード情報（第１の認証情報）の場合、その代替ＩＣカードのカード情報（第１の認証情報）を、紛失等の申請がされた正規のＩＣカードのカード情報（第２の認証情報）に読み替えるよう認証情報変換部５６に対して設定する。
【００３３】
ＩＣカードリーダ１６は、ＩＣカード（認証媒体）に記憶されているカード情報（認証情報）を読み取る。
【００３４】
認証情報変換部５６は、認証管理装置６０からの設定に基づいて、ＩＣカードリーダ１６により読み取られたカード情報が代替ＩＣカードのカード情報（第１の認証情報）の場合、その代替ＩＣカードのカード情報（第１の認証情報）を、対応付けて記憶された正規のＩＣカードのカード情報（第２の認証情報）に変換する。すると、認証処理部５４は、認証情報変換部５６により変換された後の認証情報に基づいて認証処理を行う。
【００３５】
なお、認証情報変換部５６は、ＩＣカードリーダ１６により読み取られたカード情報が代替ＩＣカードのカード情報（第１の認証情報）でない場合には、ＩＣカードリーダ１６により読み取られたカード情報をそのまま認証処理部５４に転送する。
【００３６】
認証処理部５４は、画像出力処理を行おうとする印刷ジョブに認証要求指示が付加されている場合、画像出力部５５において印刷ジョブを実行する前に認証処理を実行する。
【００３７】
なお、認証処理部５４は、認証情報変換部５６に対して代替ＩＣカードのカード情報を正規のＩＣカードのカード情報に変換する設定がされた場合、オリジナルの正規のＩＣカードのカード情報に基づく認証処理を無効とする。
【００３８】
制御部５３は、認証処理部５４における認証結果に基づいて、印刷ジョブ記憶部５２に格納されている印刷ジョブに基づく画像を出力するよう画像出力部５５を制御する。
【００３９】
例えば、印刷ジョブ記憶部５２に記憶されている印刷ジョブのうち、認証要求指示が付加されている印刷ジョブのリストの一例を図４に示す。このような印刷ジョブが格納されている状態で、カード情報が“ＺＸ１２３４５”というＩＣカードがＩＣカードリーダ１６により読み取られた場合、この“ＺＸ１２３４５”というカード情報に基づいた認証処理が認証処理部５４において行われ、図５に示すように、この“ＺＸ１２３４５”というカード情報が認証情報として設定されている印刷ジョブのみが認証されたユーザに対して表示される。
【００４０】
そして、この図５のようなジョブリストが表示されたユーザは、出力したい印刷ジョブを選択して出力指示を行うことにより、希望する出力結果を得ることができる。
【００４１】
次に、本実施形態の画像形成システムの動作を図面を参照して詳細に説明する。
【００４２】
以下の説明では、認証情報変換部５６において、図６に示すような設定がされているものとして説明する。具体的には、代替ＩＣカードの代替カード情報として“ＴＭＰ００００１”が設定され、この代替カード情報“ＴＭＰ００００１”を読み替えるための読み替えカード情報として“ＺＸ１２３４５”が設定されているものとして説明する。
【００４３】
まず、本実施形態における画像形成装置２０における動作を図７のフローチャートを参照して説明する。
【００４４】
画像形成装置２０のＩＣカードリーダ１６において、例えば“ＴＭＰ００００１”というカード情報が登録された代替ＩＣカードが読み取られた場合（ステップＳ１０１）、認証情報変換部５６において、この代替カード情報“ＴＭＰ００００１”は“ＺＸ１２３４５”というカード情報に変換される（ステップＳ１０２）。このステップＳ１０２の認証情報変換処理の詳細については後述する。
【００４５】
すると、認証処理部５４では、認証情報変換部５６から転送されてきたカード情報に基づいて認証処理を行う（ステップＳ１０３）。そして、この認証処理において認証が成功の場合（ステップＳ１０４においてＹｅｓ）、制御部５３は、認証されたユーザのジョブリストを例えば図５に示したような形態で表示する（ステップＳ１０５）。
【００４６】
制御部５３は、表示されたジョブリストにおける印刷ジョブに対する出力指示を受け付けた場合（ステップＳ１０６）、出力指示された印刷ジョブを出力するよう画像出力部５５を制御する（ステップＳ１０７）。
【００４７】
なお、ステップＳ１０４において認証が失敗した場合（ステップＳ１０４においてＮｏ）、制御部５３は、認証が失敗した旨をユーザに通知する。
【００４８】
次に、図７のフローチャートにおけるステップＳ１０２の認証情報変換処理を、図８のフローチャートを参照して詳細に説明する。
認証情報変換部５６では、ＩＣカードリーダ１６からカード情報を受信すると（ステップＳ２０１）、図６に示した読み替えテーブルを参照して（ステップＳ２０２）、その入力カード情報が代替カード情報のいずれかと一致するか否かを判定する（ステップＳ２０３）。
【００４９】
ステップＳ２０３において入力カード情報が代替カード情報と一致した場合、認証情報変換部５６は、その入力カード情報を、対応する読み替えカード情報に変換する（ステップＳ２０４）。例えば、入力カード情報が“ＴＭＰ００００１”の場合、認証情報変換部５６は、その入力カード情報を“ＺＸ１２３４５”に変換する。そして、認証情報変換部５６では、読み替えカード情報に変更した後のカード情報を認証処理部５４に転送する（ステップＳ２０５）。
【００５０】
また、ステップＳ２０３において入力カード情報が代替カード情報と一致しなかった場合、認証情報変換部５６は、入力カード情報が、読み替えカード情報のいずれかと一致しないか否かを判定する（ステップＳ２０６）。
【００５１】
ステップＳ２０６において、入力カード情報が読み替えカード情報と一致しないと判定された場合、認証情報変換部５６では、ＩＣカードリーダ１６により読み取られたカード情報（入力カード情報）をそのまま認証処理部５４に転送する（ステップＳ２０７）。
そして、ステップＳ２０６において入力カード情報が読み替えカード情報と一致すると判定された場合、そのＩＣカードの使用は却下される（ステップＳ２０８）。例えば、入力カード情報が“ＺＸ１２３４５”の場合、この入力カード情報は読み替えカード情報として設定されているため、このＩＣカードの使用は却下され認証処理も無効となる。
【００５２】
なお、認証情報変換部５６は、発行した代替ＩＣカードのカード情報を正規のＩＣカードのカード情報に変換する設定がされてから一定時間が経過すると、ＩＣカードリーダ１６により読み取られたカード情報が代替ＩＣカードのカード情報の場合であっても正規のＩＣカードのカード情報への変換を行わないようにしても良い。
【００５３】
さらに、図９に示すように、読み替えテーブルに読み替えを行う有効期限、つまり代替カードの有効期限を設定するようにして、認証情報変換部５６は、代替ＩＣカードのカード情報を正規のＩＣカードのカード情報に変換する設定がされる際に指定された有効期限が経過すると、ＩＣカードリーダ１６により読み取られたカード情報が代替ＩＣカードのカード情報の場合であっても正規のＩＣカードのカード情報への変換を行わないようにしても良い。
【００５４】
また、上記で説明した本実施形態の画像形成装置２０では、発行した代替ＩＣカードのカード情報の読み替えが行われた後には、元の正規のＩＣカードを用いた場合と同様の出力処理が可能であった。しかし、認証処理部５４では、認証情報変換部５６において代替カード情報を読み替えカード情報に変換する処理が行われた場合、出力しようとする印刷ジョブの属性に応じて認証結果を変更するようにしてもよい。例えば、代替ＩＣカードが発行された場合、この代替ＩＣカードを用いて基幹業務の印刷ジョブの出力処理をすることのみを可能とし、緊急性が低いと予想されるオフィス業務の印刷データについては代替ＩＣカードを用いた出力処理ができないようにする。
【００５５】
このような設定が行われた場合における印刷ジョブの属性と使用可能なＩＣカードとの関係を図１０に示す。この図１０を参照すると、代替ＩＣカードを発行していない場合には、正規のＩＣカードにより基幹業務の印刷ジョブ、オフィス業務の印刷ジョブの両方の印刷ジョブの出力処理が可能であるが、代替ＩＣカードが発行された場合には、正規のＩＣカードは使用できなくなり、代替ＩＣカードを用いた基幹業務の印刷ジョブの出力処理のみが可能となっていることが分かる。
【００５６】
このような処理を実現する場合、読み替えテーブルには、図１１に示すように、代替カード情報、読み替えカード情報に加えて、ジョブオーナー属性を設定するようにする。
【００５７】
そして、認証情報変換部５６では、代替カード情報を読み替えカード情報に変換した際に、このジョブオーナー属性の情報を認証処理部５４に送信する。認証処理部５４では、ジョブオーナー属性が基幹業務となっている場合には、ジョブ種別が基幹業務の印刷ジョブのみ認証を有効にして表示する。
【００５８】
このような処理を実現する場合の、本実施形態の画像形成装置２０における認証情報変換処理を図１２のフローチャートを参照して説明する。
【００５９】
この図１２に示すフローチャートは、図８に示したフローチャートにおけるステップＳ２０５の処理をステップＳ２０５ａの処理に置き換えた点のみが異なっている。図１２に示す認証情報変換処理では、認証情報変換部５６は、入力カード情報を読み替えカード情報に変換する処理を行った場合、読み替えカード情報だけでなく、ジョブオーナー属性の情報を認証処理部５４に転送する（ステップＳ２０５ａ）。
【００６０】
そして、認証変換部５６からジョブオーナー属性の情報を受け取った認証処理部５４では、このジョブオーナー属性の情報が基幹業務の場合には、ジョブ種別が基幹業務の印刷ジョブのみに対して認証を有効にし、ジョブ種別がオフィス業務の印刷ジョブに対しては認証を無効にする。
【００６１】
また、上記では画像形成装置２０、２１内において認証処理を実行する場合を用いて説明したが、図１３に示すように、画像形成装置２０、２１の外部に認証サーバ７０を設け、この認証サーバ７０において認証処理を実行するようにしてもよい。このようなシステム構成の場合には、認証情報変換処理および認証処理は認証サーバ７０内において一元的に行われる。
【００６２】
このようなシステム構成の場合における、画像形成装置２０と認証サーバ７０との間で行われる処理を図１４のシーケンスチャートを参照して説明する。
【００６３】
画像形成装置２０においてＩＣカードのカード情報が読み取られると（ステップＳ３０１）、このカード情報はネットワーク３０を介して認証サーバ７０に送信される（ステップＳ３０２）。すると、認証サーバ７０内において認証情報変換処理（ステップＳ３０３）および認証処理（ステップＳ３０４）が行われ、認証結果がカード情報とともに画像形成装置２０に返信される（ステップＳ３０５）。
【００６４】
そして、画像形成装置２０では、返信されてきた認証結果およびカード情報に基づいて印刷ジョブに対する出力処理が行われる（ステップＳ３０６）。
【００６５】
[変形例]
上記実施形態では、ＩＣカードに記憶されているカード情報を認証情報として認証処理を行う場合について説明したが、本発明はこれに限定されるものではなく、他の情報を用いて認証処理を行う場合でも同様に本発明を適用することができるものである。例えば、カード情報とパスワード情報を組み合わせて認証処理を行うようにする場合には、このカード情報およびパスワード情報が認証情報となる。
【符号の説明】
【００６６】
１０    端末装置
１１    ＣＰＵ
１２    メモリ
１３    記憶装置
１４    通信インタフェース（ＩＦ）
１５    ユーザインタフェース（ＵＩ）装置
１６    ＩＣカードリーダ
１７    プリントエンジン
１８    制御バス
２０、２１    画像形成装置
３０    ネットワーク
４０    プリントサーバ
５０    業務用コンピュータ
５１    印刷ジョブ受信部
５２    印刷ジョブ記憶部
５３    制御部
５４    認証処理部
５５    画像出力部
５６    認証情報変換部
６０    認証管理装置
７０    認証サーバ
【図１】
2011170607.tif 000003
【図２】
2011170607.tif 000004
【図３】
2011170607.tif 000005
【図４】
2011170607.tif 000006
【図５】
2011170607.tif 000007
【図６】
2011170607.tif 000008
【図７】
2011170607.tif 000009
【図８】
2011170607.tif 000010
【図９】
2011170607.tif 000011
【図１０】
2011170607.tif 000012
【図１１】
2011170607.tif 000013
【図１２】
2011170607.tif 000014
【図１３】
2011170607.tif 000015
【図１４】
2011170607.tif 000016